【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
上部と、底部と、背面と、前面と、前記前面を前記背面に結合する第１及び第２の側面と、を有する外側シャーシと、
前記外側シャーシに含まれるワイヤレス短距離通信ノードと、
前記外側シャーシに含まれる区画に結合されたアクチュエータと、
を含む第１の販売マシン（ＶＭ）と、
第２のＶＭと、
前記第１のＶＭに対応する第１の在庫データと前記第２のＶＭに対応する第２の在庫データとを記憶する少なくとも１つのマシン可読媒体を含む少なくとも１つのリモートコンピューティングノードと、
を含み、
（ａ）前記アクチュエータは、作動すると、販売される商品を前記前面の開口に提供し、（ｂ）前記前面と第１及び第２の側面との各々は、消費者が前記第１のＶＭの直接の物理的操作を介して前記第１のＶＭを制御することができる物理的に操作可能な消費者インターフェースを含まず、（ｃ）前記第１及び第２のＶＭのいずれも、前記第１及び第２の在庫データのいずれかに関連する在庫データを記憶するメモリを含まない、
システム。
【請求項２】
前記少なくとも１つのリモートコンピューティングノードは、
少なくとも１つのモバイルコンピューティングノードと通信することと、
前記第１及び第２のＶＭにそれぞれ対応する第１及び第２のデータを記憶することと、
前記少なくとも１つのモバイルコンピューティングノードと通信することに応答して、前記少なくとも１つのモバイルコンピューティングノードを介して、前記第１及び第２のデータをそれぞれ前記第１及び第２のＶＭに通信することと、
を前記少なくとも１つのリモートコンピューティングノードに実行させる命令を記憶させた少なくとも１つのマシン可読媒体を含む、請求項１に記載のシステム。
【請求項３】
前記第１のＶＭは、少なくとも１つのモバイルコンピューティングノードを発見することと、前記少なくとも１つのモバイルコンピューティングノードと通信することと、を前記第１のＶＭに実行させる命令を記憶させた少なくとも１つのマシン可読媒体を含み、
前記少なくとも１つのリモートコンピューティングノードは、前記アクチュエータを作動させて前記販売される商品を前記開口に提供するように前記少なくとも１つのモバイルコンピューティングノードを介して前記第１のＶＭに作動コマンドを通信すること、を前記少なくとも１つのリモートコンピューティングノードに実行させる命令を記憶させた少なくとも１つの記憶媒体を含む、
請求項１に記載のシステム。
【請求項４】
前記少なくとも１つのリモートコンピューティングノードは、
少なくとも１つのモバイルコンピューティングノードとの第１の通信セッションを確立することと、
前記第１の通信セッションを確立することに応答して、前記第１の通信セッションが終わる前に、前記少なくとも１つのモバイルコンピューティングノードに前記第１及び第２の在庫データを通信することと、
を前記少なくとも１つのリモートコンピューティングノードに実行させる命令を記憶させた少なくとも１つの記憶媒体を含む、請求項１に記載のシステム。
【請求項５】
前記第１のＶＭは、少なくとも１つのモバイルコンピューティングノードとの第１の通信セッションを確立することと、後に、前記第１の通信セッションを終了することと、を前記第１のＶＭに実行させる命令を記憶させた少なくとも１つのマシン可読媒体を含み、
前記第２のＶＭは、前記少なくとも１つのモバイルコンピューティングノードとの第２の通信セッションを確立することと、後に、前記第２の通信セッションを終了することと、を前記第２のＶＭに実行させる命令を記憶させた少なくとも１つのマシン可読媒体を含み、
前記第１及び第２の通信セッションの少なくとも一部分が、互いに重なる、
請求項１に記載のシステム。
【請求項６】
前記少なくとも１つのリモートコンピューティングノードは、
少なくとも１つのモバイルコンピューティングノードとの第１の通信セッションを確立することと、
前記第１の通信セッションを確立することに応答して、前記第１の通信セッションが終わる前に、前記第１及び第２の在庫データを前記少なくとも１つのモバイルコンピューティングノードに通信することと、
前記第１の在庫データに対応する製品についてのユーザに始動された選択に応答して、前記第１のＶＭの物理的場所に関して前記少なくとも１つのモバイルコンピューティングノードを介して前記ユーザに指示を提供することと、
を前記少なくとも１つのリモートコンピューティングノードに実行させる命令を記憶させた少なくとも１つの記憶媒体を含み、
前記ユーザに始動された選択は、前記少なくとも１つのモバイルコンピューティングノードから通信される、
請求項１に記載のシステム。
【請求項７】
前記第１の在庫データは、前記第１のＶＭを介して利用可能な１つ以上の製品に対応し、
前記第１のＶＭは、少なくとも１つのモバイルコンピューティングノードを発見することと、前記少なくとも１つのモバイルコンピューティングノードと通信することと、を前記第１のＶＭに実行させる命令を記憶させた少なくとも１つのマシン可読媒体を含み、
前記少なくとも１つのリモートコンピューティングノードは、（ａ）前記１つ以上の製品についてのユーザの選択に対応する選択通信を、前記少なくとも１つのモバイルコンピューティングノードから受信することと、（ｂ）前記選択通信を受信することに応答して、前記アクチュエータを作動させて前記販売される商品を前記開口に引き渡すように前記少なくとも１つのモバイルコンピューティングノードを介して前記第１のＶＭに作動コマンドを通信することと、を前記少なくとも１つのリモートコンピューティングノードに実行させる命令を記憶させた少なくとも１つの記憶媒体を含む、
請求項１に記載のシステム。
【請求項８】
命令を記憶させた少なくとも１つの記憶媒体を含む少なくとも１つのリモートコンピューティングノード、を含み、前記命令は、
第１のモバイルコンピューティングノードと通信して、前記第１のモバイルコンピューティングノードが第２のモバイルコンピューティングノードのためにクレジットを購入することを望むと決定することと、
前記第１のモバイルコンピューティングノードと通信して、前記第１のモバイルコンピューティングノードが第２のモバイルコンピューティングノードのためにクレジットを購入することを望むと決定することに応答して、前記第２のモバイルコンピューティングノードに前記クレジットを授与することと、
前記第２のモバイルコンピューティングノードと通信して、前記第２のモバイルコンピューティングノードに前記クレジットが授与されたと示すことと、
前記クレジットが前記第２のモバイルコンピューティングノードに授与されることに基づいて、前記第２のモバイルコンピューティングノードを介して、前記第１のＶＭに作動コマンドを通信することと、
を前記少なくとも１つのリモートコンピューティングノードに実行させる、請求項１に記載のシステム。
【請求項９】
前記クレジットは、前記第１のＶＭの在庫に含まれる第１の製品に対応し、しかし前記第１のＶＭの在庫に含まれる第２の製品に対応しない、請求項８に記載のシステム。
【請求項１０】
前記クレジットは、前記第１のＶＭに対応するが前記第２のＶＭに対応せず、前記第１のＶＭにおいて商品に換えることができるが前記第２のＶＭにおいて商品に換えることはできない、請求項８に記載のシステム。
【請求項１１】
命令を記憶させた少なくとも１つの記憶媒体を含む少なくとも１つのリモートコンピューティングノード、を含み、前記命令は、
さらなるリモートコンピューティングノードと第１のモバイルコンピューティングノードとのうち少なくとも１つと通信して、ユーザがゲームにおいて賞を授与されたことに応答して前記第１のモバイルコンピューティングノードがクレジットを授与されるべきであると決定することと、
前記さらなるリモートコンピューティングノードと前記第１のモバイルコンピューティングノードとのうち少なくとも１つと通信することに応答して、前記第１のモバイルコンピューティングノードに前記クレジットを授与することと、
前記第１のモバイルコンピューティングノードと通信して、前記第１のモバイルコンピューティングノードに前記クレジットが授与されたと示すことと、
前記クレジットが前記第１のモバイルコンピューティングノードに授与されることに基づいて、前記第１のモバイルコンピューティングノードを介して、前記第１のＶＭに作動コマンドを通信することと、
を前記少なくとも１つのリモートコンピューティングノードに実行させる、請求項１に記載のシステム。
【請求項１２】
前記第１のＶＭは店頭壁に含まれ、前記開口は、前記店頭壁を含む店の外のエリアに直接さらされる、請求項１に記載のシステム。
【請求項１３】
前記前面と第１及び第２の側面との各々は、電子ディスプレイを含まず、前記第１のＶＭは、マルチドロップバス（ＭＤＢ）と硬貨収集器と磁気カードリーダとを含む群のうちのいずれも含まない、請求項１に記載のシステム。
【請求項１４】
消費者が前記第１のＶＭの直接の物理的操作を介して前記第１のＶＭを制御することができる物理的に操作可能な消費者インターフェースを含まない前記前面と第１及び第２の側面との各々は、消費者が前記第１のＶＭの直接の物理的操作を介して前記第１のＶＭを制御することができる物理的なボタンもインタラクティブな電子ディスプレイも含まない前記前面と第１及び第２の側面との各々を含む、請求項１に記載のシステム。
【手続補正２】
【補正対象書類名】明細書
【補正対象項目名】０１４７
【補正方法】変更
【補正の内容】
【０１４７】
本発明が、限られた数の実施形態に関して説明されたが、これら実施形態からの多数の修正及び変形を当業者は十分理解するであろう。別記の請求項は、本発明の真の主旨及び範囲に入る限り、すべてのこうした修正及び変形をカバーすることが意図される。
上記の実施形態につき以下の付記を残しておく。
［付記１］
第１の販売マシン（ＶＭ）を含むシステムであって、上記第１のＶＭは、
上部と、底部と、背面と、前面と、上記前面を上記背面に結合する第１及び第２の側面と、を有する外側シャーシと、
上記シャーシに含まれるワイヤレス短距離通信ノードと、
上記シャーシに含まれる区画に結合されたアクチュエータと、
を含み、
（ａ）上記アクチュエータは、作動に対して、販売される商品を上記前面の開口に提供し、（ｂ）上記前面と第１及び第２の側面との各々は、消費者が上記第１のＶＭの直接の物理的操作を介して上記第１のＶＭを制御することができる物理的に操作可能な消費者インターフェースを含まない、
システム。
［付記２］
上記前面と第１及び第２の側面との各々は、電子ディスプレイを含まず、上記第１のＶＭは、マルチドロップバス（ＭＤＢ）と硬貨収集器と磁気カードリーダとを含む群のうちのいずれも含まない、付記１に記載のシステム。
［付記３］
消費者が上記第１のＶＭの直接の物理的操作を介して上記第１のＶＭを制御することができる物理的に操作可能な消費者インターフェースを含まない上記前面と第１及び第２の側面との各々は、消費者が上記第１のＶＭの直接の物理的操作を介して上記第１のＶＭを制御することができる物理的なボタンもインタラクティブな電子ディスプレイも含まない上記前面と第１及び第２の側面との各々を含む、付記１に記載のシステム。
［付記４］
第２のＶＭと、
上記第１のＶＭに対応する第１の在庫データと上記第２のＶＭに対応する第２の在庫データとを記憶する少なくとも１つのマシン可読媒体を含む少なくとも１つのリモートコンピューティングノードと、
を含み、
上記第１及び第２のＶＭのいずれも、上記第１及び第２の在庫データのいずれかに関連する在庫データを記憶するメモリを含まない、
付記１に記載のシステム。
［付記５］
上記少なくとも１つのリモートコンピューティングノードは、
少なくとも１つのモバイルコンピューティングノードと通信することと、
上記第１及び第２のＶＭにそれぞれ対応する第１及び第２のデータを記憶することと、
上記少なくとも１つのモバイルコンピューティングノードと通信することに応答して、上記少なくとも１つのモバイルコンピューティングノードを介して、上記第１及び第２のデータをそれぞれ上記第１及び第２のＶＭに通信することと、
を上記少なくとも１つのリモートコンピューティングノードに実行させる命令を記憶させた少なくとも１つのマシン可読媒体を含む、付記４に記載のシステム。
［付記６］
上記第１のＶＭは、少なくとも１つのモバイルコンピューティングノードを発見することと上記少なくとも１つのモバイルコンピューティングノードと通信することとを上記第１のＶＭに実行させる命令を記憶させた少なくとも１つのマシン可読媒体を含み、
上記少なくとも１つのリモートコンピューティングノードは、上記少なくとも１つのモバイルコンピューティングノードを介して上記第１のＶＭに作動コマンドを通信して上記アクチュエータを作動させて、上記販売される商品を上記開口に提供することを上記少なくとも１つのリモートコンピューティングノードに実行させる命令を記憶させた少なくとも１つの記憶媒体を含む、
付記４に記載のシステム。
［付記７］
上記少なくとも１つのリモートコンピューティングノードは、
少なくとも１つのモバイルコンピューティングノードと第１の通信セッションを確立することと、
上記第１の通信セッションを確立することに応答して、上記第１の通信セッションが終わる前に、上記少なくとも１つのモバイルコンピューティングノードに上記第１及び第２の在庫データを通信することと、
を上記少なくとも１つのリモートコンピューティングノードに実行させる命令を記憶させた少なくとも１つの記憶媒体を含む、付記４に記載のシステム。
［付記８］
上記第１のＶＭは、少なくとも１つのモバイルコンピューティングノードと第１の通信セッションを確立することと、後に、上記第１の通信セッションを終了することとを上記第１のＶＭに実行させる命令を記憶させた少なくとも１つのマシン可読媒体を含み、
上記第２のＶＭは、上記少なくとも１つのモバイルコンピューティングノードと第２の通信セッションを確立することと、後に、上記第２の通信セッションを終了することとを上記第２のＶＭに実行させる命令を記憶させた少なくとも１つのマシン可読媒体を含み、
上記第１及び第２の通信セッションの少なくとも一部分が、互いに重なる、
付記４に記載のシステム。
［付記９］
上記少なくとも１つのリモートコンピューティングノードは、
少なくとも１つのモバイルコンピューティングノードと第１の通信セッションを確立することと、
上記第１の通信セッションを確立することに応答して、上記第１の通信セッションが終わる前に、上記第１及び第２の在庫データを上記少なくとも１つのコンピューティングノードに通信することと、
上記第１の在庫データに含まれる製品についてのユーザに始動された選択に応答して、上記第１のＶＭの物理的場所に関して上記ユーザに指示を提供することと、
を上記少なくとも１つのリモートコンピューティングノードに実行させる命令を記憶させた少なくとも１つの記憶媒体を含み、
上記ユーザに始動された選択は、上記少なくとも１つのモバイルコンピューティングノードから通信される、
付記４に記載のシステム。
［付記１０］
命令を記憶させた少なくとも１つの記憶媒体を含む少なくとも１つのリモートコンピューティングノード、を含み、上記命令は、
第１のモバイルコンピューティングノードと通信して、上記第１のモバイルコンピューティングノードが第２のコンピューティングノードのためにクレジットを購入することを望むと決定することと、
上記第１のモバイルコンピューティングノードと通信して、上記第１のモバイルコンピューティングノードが第２のコンピューティングノードのためにクレジットを購入することを望むと決定することに応答して、上記第２のコンピューティングノードに上記クレジットを授与することと、
上記第２のモバイルコンピューティングノードと通信して、上記第２のコンピューティングノードに上記クレジットが授与されたと示すことと、
上記クレジットが上記第２のコンピューティングノードに授与されることに基づいて、上記第２のモバイルコンピューティングノードを介して、上記第１のＶＭに作動コマンドを通信することと、
を上記少なくとも１つのリモートコンピューティングノードに実行させる、付記１に記載のシステム。
［付記１１］
上記クレジットは、上記第１のＶＭの在庫に含まれる第１の製品に対応し、しかし上記第１のＶＭの在庫に含まれる第２の製品に対応しない、付記１０に記載のシステム。
［付記１２］
第２のＶＭ、を含み、上記クレジットは、上記第１のＶＭに対応するが上記第２のＶＭに対応せず、上記第１のＶＭにおいて商品に換えることができるが上記第２のＶＭにおいて商品に換えることはできない、付記１０に記載のシステム。
［付記１３］
命令を記憶させた少なくとも１つの記憶媒体を含む少なくとも１つのリモートコンピューティングノード、を含み、上記命令は、
さらなるリモートコンピューティングノードと第１のモバイルコンピューティングノードとのうち少なくとも１つと通信して、ユーザがゲームにおいて賞を授与されたことに応答して上記第１のモバイルコンピューティングノードがクレジットを授与されるべきであると決定することと、
上記さらなるリモートコンピューティングノードと上記第１のモバイルコンピューティングノードとのうち少なくとも１つと通信することに応答して、上記第１のモバイルコンピューティングノードに上記クレジットを授与することと、
上記第１のモバイルコンピューティングノードと通信して、上記第１のコンピューティングノードに上記クレジットが授与されたと示すことと、
上記クレジットが上記第１のコンピューティングノードに授与されることに基づいて、上記第１のモバイルコンピューティングノードを介して、上記第１のＶＭに作動コマンドを通信することと、
を上記少なくとも１つのリモートコンピューティングノードに実行させる、付記１に記載のシステム。
［付記１４］
上記第１のＶＭは店頭壁に含まれ、上記開口は、上記店頭壁を含む店の外のエリアに直接さらされる、付記１に記載のシステム。
［付記１５］
上記第１のＶＭを介して利用可能な１つ以上の製品に対応する第１の在庫データを記憶する少なくとも１つのマシン可読媒体を含む少なくとも１つのリモートコンピューティングノード、を含み、
上記第１のＶＭは、少なくとも１つのモバイルコンピューティングノードを発見することと上記少なくとも１つのモバイルコンピューティングノードと通信することとを上記第１のＶＭに実行させる命令を記憶させた少なくとも１つのマシン可読媒体を含み、
上記少なくとも１つのリモートコンピューティングノードは、（ａ）上記１つ以上の製品についてのユーザの選択に対応する選択通信を、上記少なくとも１つのモバイルコンピューティングノードから受信することと、（ｂ）上記選択通信を受信することに応答して、上記少なくとも１つのモバイルコンピューティングノードを介して上記第１のＶＭに作動コマンドを通信して上記アクチュエータを作動させて、上記販売される商品を上記開口に引き渡すことと、を上記少なくとも１つのリモートコンピューティングノードに実行させる命令を記憶させた少なくとも１つの記憶媒体を含む、
付記１に記載のシステム。
［付記１６］
上記少なくとも１つのリモートコンピューティングノードは、上記１つ以上の製品についてのユーザの選択に対応する注文を、非ワイヤレス短距離通信を介してさらなるコンピューティングノードに通信することを上記少なくとも１つのリモートコンピューティングノードに実行させる命令を記憶させた少なくとも１つの記憶媒体を含む、付記１５に記載のシステム。
［付記１７］
上記少なくとも１つのモバイルコンピューティングノード、を含み、上記ワイヤレス短距離通信ノードはＢｌｕｅｔｏｏｔｈと近距離通信（ＮＦＣ）とのうち少なくとも１つについて構成され、上記少なくとも１つのリモートコンピューティングノードはサーバを含む、付記５に記載のシステム。
［付記１８］
第１のモバイルコンピューティングノードに、
少なくとも１つのリモートコンピューティングノードと通信して、上記第１のモバイルコンピューティングノードが第２のコンピューティングノードのために第１のクレジットを購入することを望むと示すことと、
上記第２のコンピューティングノードと第３のコンピューティングノードとのうち少なくとも１つが上記少なくとも１つのリモートコンピューティングノードと通信して、上記第２のコンピューティングノードと第３のコンピューティングノードとのうち上記少なくとも１つが上記第１のモバイルコンピューティングノードのために第２のクレジットを購入することを望んだと示すことに応答して、上記第２のコンピューティングノードと第３のコンピューティングノードとのうち上記少なくとも１つから上記第２のクレジットを受信することと、
上記第１のモバイルコンピューティングノードに上記第２のクレジットが授与されたと示す通信を上記少なくとも１つのリモートコンピューティングノードから受信することと、
上記第２のクレジットに基づいて第１の販売マシン（ＶＭ）に作動コマンドを通信することと、
を実行させる命令を記憶させた少なくとも１つの記憶媒体。
［付記１９］
上記第２のクレジットは、上記第１のＶＭの在庫に含まれる第１の製品に対応し、しかし上記第１のＶＭの在庫に含まれる第２の製品に対応しない、付記１８に記載の少なくとも１つの記憶媒体。
［付記２０］
上記第２のクレジットは、上記第１のＶＭに対応するが第２のＶＭに対応せず、上記第１のＶＭにおいて商品に換えることができるが上記第２のＶＭにおいて商品に換えることができない、付記１８に記載の少なくとも１つの記憶媒体。
［付記２１］
上記第１のモバイルコンピューティングノードに、
上記少なくとも１つのリモートコンピューティングノードと第１の通信セッションを確立することと、
上記第１の通信セッションを確立することに応答して、上記第１の通信セッションが終わる前に、上記少なくとも１つのリモートコンピューティングノードから、上記第１のＶＭ及び第２のＶＭに対応する第１及び第２の在庫データを受信することと、
を実行させる命令、を含む付記１８に記載の少なくとも１つの記憶媒体。
［付記２２］
上記第１のモバイルコンピューティングノードに、
上記少なくとも１つのリモートコンピューティングノードと第１の通信セッションを確立することと、
上記第１の通信セッションを確立することに応答して、上記第１の通信セッションが終わる前に、上記少なくとも１つのリモートコンピューティングノードから、上記第１のＶＭ及び第２のＶＭに対応する第１及び第２の在庫データを受信することと、
上記第１の在庫データに含まれる製品についてのユーザに始動された選択を上記少なくとも１つのリモートコンピューティングノードに通信することと、
上記ユーザに始動された選択を上記少なくとも１つのリモートコンピューティングノードに通信することに応答して、上記第２のＶＭでなく上記第１のＶＭの物理的場所に関して指示を受信することと、
を実行させる命令、を含む付記１８に記載の少なくとも１つの記憶媒体。
［付記２３］
販売システムであって、
当該販売システムの１００メートル以内でモバイルコンピューティングノードの近接を検出する近接検出モジュールと、
上記モバイルコンピューティングノードとワイヤレスに通信するワイヤレス通信モジュールと、
装置エミュレーションモジュールと、
上記装置エミュレーションモジュールをマルチドロップバス（ＭＤＢ）に結合するＭＤＢインターフェースと
第１の周辺装置状態の第１のエミュレーションを販売マシンコントローラ（ＶＭＣ）に通信することを当該システムに実行させる命令を記憶させた少なくとも１つの記憶媒体と、
を含み、
上記第１の周辺装置状態は、物理的な硬貨受け入れ器装置と紙幣受け入れ器とクレジットカードリーダと近距離通信（ＮＦＣ）リーダと無線周波数識別（ＲＦＩＤ）リーダとのうち少なくとも１つの状態に対応する、
販売システム。
［付記２４］
上記少なくとも１つの記憶媒体は、
上記モバイルコンピューティングノードから第１の作動命令を受信することと、
上記第１の作動命令を受信することに応答して、上記ＶＭＣに第２の作動命令を通信することと、
を当該システムに実行させる命令を含み、
上記第１の作動命令は、製品の売り渡しの承認に対応し、上記第２の作動命令は、当該販売システムに結合された販売マシンからユーザに上記製品を販売するように第３の作動命令を発行することを上記ＶＭＣに実行させるように構成され、
上記第３の作動命令は、製品分配器の機械的作動が機械的システムを作動させて上記製品を上記ユーザに伝えることを可能にする、
付記２３に記載の販売システム。
［付記２５］
上記第２の作動命令は、上記ＶＭＣのために整形された、閾値レベルのクレジットが上記製品を販売するために存在することを示す命令を含み、（ｃ）上記機械的システムは、機械的ロックとサーボモータとのうち少なくとも１つを含む、付記２４に記載の販売システム。